(57)【要約】      （修正有）【課題】ディスクをターンテーブルに回転自在に固定する過程で、ディスクが他部材、特に光学ユニットと干渉することを防止可能なディスク装置を提供する。【解決手段】ディスク装置は、ディスクに記録又は再生の処理を行う処理機構と、この処理機構を内部に収容するケースと、ケースの前面に装着され、開口部を有するフロントベゼル１４と、を備えている。フロントベゼル１４からは処理機構に向けて突出部３８が形成されている。この突出部３８はディスクの端部と接触してディスクをターンテーブルに固定する際のディスクの傾きを規制する。【選択図】図７
2008071461.tif 000002
【特許請求の範囲】
【請求項１】
ディスクに記録又は再生の処理を行う処理機構と、この処理機構を内部に収容するケースと、前記ケースの前面に装着され、開口部を有するフロントベゼルと、を備えるディスク装置において、
前記処理機構は、ターンテーブルと、当該ターンテーブルを有するベースと、前記ターンテーブルの上部に位置する前記ディスクのクランプと、光学ユニットと、前記開口部を介して前記処理機構に前記ディスクを搬入するトレイと、回路基板と、を備え、前記トレイが前記処理機構に進入すると、前記ベースが前記トレイ側に移動して、前記クランパが前記ディスクを回転自在に前記ターンテーブルに固定するように構成されており、
前記フロントベゼルは、前記処理機構側に突出する突出部を備え、
前記処理機構が前記ディスクを前記ターンテーブルに固定する際、前記ディスクの前記フロントベゼル側端部が前記突出部に接触して、当該ディスクの前記光学ユニット側端部が当該光学ユニットに干渉しないように前記ディスクの傾きを規制してなるディスク装置。
【請求項２】
前記突出部が前記フロントベゼルの上端部で、前記処理機構の幅方向の中央に設けられてなる、請求項１記載のディスク装置。
【請求項３】
前記突出部が前記フロントベゼルの補強リブでもある、請求項１又は２記載のディスク装置。
【請求項４】
前記突出部の前記処理機構側端部が前記ディスクに臨むテーパ面として形成されている、請求１乃至３の何れか１項記載のディスク装置。
【請求項５】
前記ディスクの前記フロントベゼル側端部と接触する端部と前記トレイの前記ディスクの載置面との距離が２ｍｍ乃至５.５ｍｍの範囲になるように、前記突出部の前記テーパ面が形成されてなる、請求項４記載のディスク装置。
【請求項６】
前記ディスクの外周縁の上端部で、データが記録されていないエッジが前記テーパ面と接触してなる、請求項４記載のディスク装置。
【請求項７】
ディスクが装着可能なディスク装置であって、ディスクにレーザー光を照射するピックアップと、ディスクが固定されるターンテーブルと、ディスクが前記ターンテーブルに固定されるときに、該ディスクが前記ピックアップに衝突しないように、衝突回避部材が設けられたフロントベゼルと、を有するディスク装置。
【発明の詳細な説明】
【技術分野】
【０００１】
本発明は光ディスク装置に係わり、特に、ディスクをターンテーブルにクランプする際にディスクが他部材と干渉しないための機構を備えたディスク装置に関するものである。
【背景技術】
【０００２】
この種のディスク装置として、例えば、実開平７−４１３６号公報にあるように、ディスクをトレイに載置して装置内に運び込むと、ターンテーブルが上動して運び込まれたディスクを持ち上げ、ターンテーブルの上方に配されたディスククランパが、ディスクをターンテーブル上に回転自在に固定する構成を備えたものが存在する。ディスクをターンテーブルにディスククランパによってクランプする動作をディスクのチャキングともいう。
【０００３】
この種のディスク装置では、ディスクが他部材と干渉してディスクの記録面に損傷が生じないように、また、ディスクの記録再生特性が損なわれないようにするための機構が従来から種々採用されている。
【０００４】
例えば、特開２００５−３０２２５１号公報には可撓性を有する記録ディスクの上下動を規制して、光学ユニットとの衝突或いは摺接を防止するディスク装置が開示されている。このディスク装置は、空気流の圧力を発生させて記録ディスクの上下動を規定するガイド部材を備えているために、ディスクに記録／再生ヘッドに向かう力が作用したとしても、ガイド部材によってディスクの記録／再生ヘッド方向への可動範囲を制限することができることになり、この結果、記録／再生ヘッドとディスクとの衝突を回避することができる。
【０００５】
特開２００５−３０２２７４号公報には、大径ディスク載置部と小径ディスク載置部とを備えるディスクトレイを備え、小径ディスク載置部の周壁に、小径ディスクを保持するための弾性変形可能な可変爪を有する光ディスク装置が記載されている。
【０００６】
特開２００３−３１７３６０号公報には、ディスク収納部に対応する領域内に、横断面積が先端に向かって漸減する形状を持った凸部を、天板からディスク装置の内側に向かって形成したディスク装置が記載されている。このディスク装置によれば、空気が凸部の表面に沿うように流れるので、ディスクが高速回転する際に発生する気流の急激な変化を防止して、気流の乱れに起因するディスクの記録再生特性の低下を避けることができる。
【０００７】
特開平１０−１０６２４８公報に記載されたディスク装置は、ケースの下面にディスクの傾きを規制する突出部を備え、ディスクに衝撃が加わってもディスクの最外周縁部が突出部に当接し、それ以上ディスクの傾きが大きくならないように規制されるようになっている。さらに、トレイのディスク対向面には、ディスクの傾きを規制する凸部があり、ディスクがターンテーブルの支持面に対して傾いても、ディスクの最外周縁部が凸部に当接し、それ以上ディスクの傾きが大きくならないように規制される。
【０００８】
その他、本発明に関連する背景技術として、特開２００５−２２２６０７号公報に記載されたディスク装置が存在する。
【特許文献１】実開平７−４１３６号公報
【特許文献２】特開２００５−３０２２５１号公報
【特許文献３】特開２００５−３０２２７４号公報
【特許文献４】特開２００３−３１７３６０号公報
【特許文献５】特開平１０−１０６２４８号公報
【特許文献６】特開２００５−２２２６０７号公報
【発明の開示】
【発明が解決しようとする課題】
【０００９】
近年、異なるフォーマットの光ディスクに対応するため、光ピックアップが大型化されてきている。そこで、光ピックアップと回路基板との間の干渉を避けるために、ディスクをディスク装置にローディング、又はディスクをディスク駆動装置からアンローディングする際、光ピックアップをディスクの外周側に配置するようにしている。
【００１０】
しかしながら、このようにしても、ディスクをディスク装置内に搬入し次いでターンテーブルにチャキングする過程で、ディスク側に上昇回転するターンテーブルがディスクを跳ね上げてディスクが水平状態から傾きディスクの外周側端部が光ピックアップに接触する問題がある。
【００１１】
既述の特許文献１記載のディスク装置では、ディスクをターンテーブルにチャキングする過程で、ディスクがターンテーブルとディスククランパとの間でフリーとなってしまい、ディスクが光ピックアップに接触してしまう。
【００１２】
また、他の特許文献に記載されている、ディスクの移動を規制する手段は、ディスクをターンテーブルにチャキングする過程での、ディスクが光学ユニットに接触することを防止するものではない。さらに、特許文献６はフロントベゼルの上端からディスク装置側に向けて爪状の突部が形成されていることを開示しているが、この突部がディスクの傾きを規制することについての配慮はない。
【００１３】
本発明はディスクをターンテーブルに回転自在に固定する過程で、ディスクが他部材、特に光学ユニットと干渉することを防止可能なディスク装置を提供することを目的とするものである。
【課題を解決するための手段】
【００１４】
前記目的を達成するために、本発明は、ディスクがピックアップに衝突しないように、フロンベゼルに衝突回避部材を設けたことを特徴とするものである。また、本発明はディスクに記録又は再生の処理を行う処理機構と、この処理機構を内部に収容するケースと、前記ケースの前面に装着され、開口部を有するフロントベゼルと、を備えるディスク装置において、前記処理機構は、ターンテーブルと、当該ターンテーブルを有するベースと、前記ターンテーブルの上部に位置する前記ディスクのクランプと、光学ユニットと、前記開口部を介して前記処理機構に前記ディスクを搬入するトレイと、回路基板と、を備え、前記トレイが前記処理機構に進入すると、前記ベースが前記トレイ側に移動して、前記クランパが前記ディスクを回転自在に前記ターンテーブルに固定するように構成されており、前記フロントベゼルは、前記処理機構側に突出する突出部を備え、前記処理機構が前記ディスクを前記ターンテーブルに固定する際、前記ディスクの前記フロントベゼル側端部が前記突出部に接触して、当該ディスクの前記光学ユニット側端部が当該光学ユニットに干渉しないように前記ディスクの傾きを規制してなることを特徴とするものである。
【００１５】
本発明の好ましい形態の第１は、前記突出部が前記フロントベゼルの上端部で、前記処理機構の幅方向の中央に設けられてなることを特徴とするものである。その第２は、前記突出部が前記フロントベゼルの補強リブでもある、ことを特徴とするものである。
【００１６】
その第３は、前記突出部の前記処理機構側端部が前記ディスクに臨むテーパ面として形成されている、ことを特徴とするものである。その第４は、前記ディスクの前記フロントベゼル側端部と接触する端部と前記トレイの前記ディスクの載置面との距離が２ｍｍ乃至５.５ｍｍになるように、前記突出部の前記テーパ面が形成されてなる、ことを特徴とするものである。その第５は、前記ディスクの外周縁の上端部で、データが記録されていないエッジが前記テーパ面と接触してなる、ことを特徴とするものである。
【発明の効果】
【００１７】
以上説明したように、本発明によれば、ディスクをターンテーブルに回転自在に固定する過程で、ディスクが他部材、特に光学ユニットと干渉することを防止可能なディスク装置を提供することができる。
【発明を実施するための最良の形態】
【００１８】
図１は本発明に係わるディスク装置１０の全体を示す斜視図である。ディスク装置は、内部にディスクに記録/再生の為の処理を行う処理機構を収納する箱状のケース（又は、筐体或いはケース）１２と、このケースの前面の開放端を塞ぐフロントベゼル１４と、記録ディスクを処理機構に挿入し、あるいはディスクを処理機から排出するためのトレイ１６とを備えている。処理機構は、主に、光ピックアップを中心とする記録・再生機構と、この記録再生機構に対してディスクの搬入・排出を行うディスク駆動機構とからなる。
【００１９】
図２は図１に示すディスク装置の分解斜視図である。ケース１２は、天板１２Ｃと側板１２Ａとが一体成型によって形成された金属製の上部ケース１２Ｄと、底板１２Ｂとから構成されている。上部ケース１２Ｄと底板１２Ｂとの間に形成される空間に、処理機構１１が収納される。符号１３は処理機構１１が固定されるフレームである。
【００２０】
フロントベゼル１４の左右の端部には、処理機構１１側に向かって突出する短冊状の小片３２が設けられている。この小片３２の先端には側板１２Ｃのフロントベゼル側に形成された開口部３５に側板１２Ｃの内側から係合する爪３２Ａが存在する。
【００２１】
ディスクトレイ１６はフロントベゼル１４の開口３４を介して矢示５０に沿った方向で処理機構１１本体側に進退する。符号２０はトレイを進退させるトレイ駆動部である。トレイ１６はディスクが載置されるプレート１６Ｂとフロンベゼル１４の開口３４を覆う正面パネル１６Ａとから構成される。符号１７はプレート１６Ｂに形成された開口である。
【００２２】
符号２２はターンテーブルでありディスクを回転可能に支持する。テーンテーブル２２と天板１２Ｃの裏面に設けられたディスククランプとの間にディスクがチャッキングされる。ターンテーブル２２はベース３１のフロントベゼル１４側に固定されている。ベースのリア側端部は処理機構１１の幅方向に伸びる軸（図示しない。）を有し、この軸がフレーム１３に回転可能に固定されている。この軸を中心にして、ベース３１はトレイ１６のプレート１６Ｂに載置されたディスクに接近する方向、又はディスクから離れる方向に回転する。トレイ１６が駆動装置内に進入する際ベース３１はトレイ１６に対して接近するように回転する。トレイ１６が駆動装置から排出される場合はその逆である。
【００２３】
ディスクがプレート１６Ｂに載置されて、その後トレイ１６が装置内に挿入されるとベースが回転し、ターンテーブル２２が開口１７を超えて上方に移動してトレイに載置されたディスクを持ち上げる。次いで、天板１２Ｃの裏面にあるクランプがディスクをターンテーブルに回転自在に固定する。
【００２４】
符号２４は光学ユニットとしての光ピックアップであり、開口２５を介してディスクの記録面に臨みながら矢示５１に沿った方向に移動する。底板１２Ｂとベース１３との間には回路基板１８が設けられている。この回路基板１８はターンテーブル２２を回転制御する電子部品と、トレイの駆動部２０を制御する電子部品と、光ピックアップ２２の移動や、再生/記録を制御する電子部品とを備えている。光ピックアップはディスクに対してレーザー光を照射する。
【００２５】
図３は、処理機構の主要部を平面から見た斜視図であり、図４はそれを底面から見た斜視図である。トレイの駆動部２０は、モータの回転軸に取付けられた第１プーリ２０Ａと、第１プーリ２０Ａの回転がベルトによって伝達される第２プーリ２０Ｂと、第２プーリ２０Ｂによって回転する中間ギヤ２０Ｃと、中間ギヤ２０Ｃによって回転し、トレイに形成されたラックと噛合するピニオン２０Ｄからなる。
【００２６】
したがって、電子回路がモータの回転方向を制御することによってトレイ１６を記録・再生機構に対して進退させる。なお、図４の符号２４Ｂは、モータ２４Ａによって回転するねじ軸２４Ｂである。光ピックアップ２４はねじ軸２０Ｂとボールねじを構成するスライダ２４Ｃを備える。モータ２４Ａが回転するとねじ軸２４Ｂが回転し、ねじ軸２４Ｂの回転に合わせてスライダ２４Ｃがねじ軸２４Ａに沿って往復移動する。
【００２７】
図５はトレイが収容された処理機構の主要部を正面から見た斜視図であり、図６はそれを背面から見た斜視図である。フロントベゼル１４の上端の処理機構の幅方向の中央部から処理機構側に向かった突出部３８がフロントベゼル１４と一体に設けられている。
【００２８】
図７（Ａ）のフロントベゼルを背面側から見た斜視図のように、突出部３８は処理機構側の端面３８Ｂがテーパ状に形成された略台形状の小片３８Ａ，３８Ａ−１，３８Ａ−２を合計で３基備えている。詳しくは図８以降に説明するが、ここでは（Ｂ）として模式的に示されるように、ディスク４０のフロント側の上端部が、ディスクが傾いた際に各小片の端面３８Ｂに接触する。（Ｂ）は突出部３８を平面方向から見た図である。（Ａ）ではディスクを示していない。（Ｂ）に示すように、突出部３８はディスクの投影面にラップしてディスク側に突出している。したがって、突出部のテーパ面が傾いたディスクの先端に接触可能である。
【００２９】
小片３８Ａはフロントベゼルの中央部に設けられているのに対し、小片３８Ａ−１と３８Ａ−２は小片３８Ａを挟んで対称にフロントベゼルに設けられている。（Ｂ）に示すように、小片３８Ａはディスク４０の中央に臨んでいるが、小片３８Ａ−１及び小片３８Ａ−２はディスク４０の中央からやや離れた部分に臨んでいる。小片３８Ａ−１,３８Ａ−２のテーパ面にディスク４０の上端が当接するように、これら小片は中央の小片３８Ａから僅かにディスク４０の中心方向に延びている。
【００３０】
（Ａ）において、符号３６はベゼルの上端寄りの位置で処理機構側に向かって形成されたフランジである。このフランジは高速回転するディスクが仮に破損した際、ディスクの破片が飛散するのを防止する機能を有する。突出部３８はフランジ３６の基端３６Ａを越えて処理機構側に延びている。そこで、フランジ３６の中央の領域を台形状に膨出させて突出部３８の上端を覆うようにしている。フランジ３６と突出部３８を有する、図７（Ａ）に示されたフロントベゼルは、例えば樹脂によって一体成型される。
【００３１】
（Ｃ）はフロントベゼルの比較例である。（Ｃ）に示すフロントベアゼルは、（Ａ）に示す突出部３８の代わりにフランジ３６を補強するリブ３９をフランジ３６の基端３６Ａから突出することなく有している。すなわち、（Ａ）の突出部３８はフロントベゼルを補強するリブの役割も兼ねている。（Ｂ）に示すように、複数の突出片(小片)がディスクの端部と均等に接触しているので、ディスクの傾きの規制がディスクに対して均一に適用できるという効果がある。
【００３２】
図８は図１のXIII−XIII断面図である。図８に示すIXの拡大図が図９に示されている。Xの拡大図が図１０に示されている。図８は、トレイ１６によってディスク４０がディスク装置内に挿入されてから、天板１２Ｃの内面にあるクランプ４４にターンテーブル２２が磁力によって結合し、クランプとターンテーブルとの間にディスクがチャキングされる直前を示している。この時、ディスクは図示するように、駆動装置の底板１２Ｂに対して（天板１２Ｃに対してでもある。）ディスクのリア側、即ち光ピックアップ２４側が底板１２Ｂに向けて傾き、一方、ディスクのフロント側(フロントベゼル側でもある。)が、天板１２Ｃ側に向けて傾く。
【００３３】
図９に示すように、ディスクの外周の上端であるエッジ４１は突出部３８Ａのテーパ面３８Ｂに接触して、ディスクの傾きが規制されている。テーパ面３８Ｂは、天板１２Ｃから底板１２Ｂに向かって、ディスク４０の径方向に沿った、フロントベゼル端面からの幅が漸減するように形成されている。
【００３４】
トレイのディスク載置面１７から、ディスクのエッジ４１がテーパ面３８Ｂに当接している箇所４１までの高さＨ１は、図１０に示すように、ディスクの平面が光ピックアップ２４の上端４６に接触しないような値を持って決定される。図１０は、ディスク４０のエッジ４１がテーパ面３８Ｂに接触した時点で、ディスクの平面と光ピックアップ２４の上端４６との間にＨ２で示す余裕があること示している。図９のＨ１は，２ｍｍ−５．５ｍｍの範囲になるように設計されている。２.０ｍｍ未満であると、ディスク４０がターンテーブルに固定されて回転した際に、突出部３８にディスクが接触するおそれがある。
【００３５】
一方、５．５ｍｍを超えると、ディスクの光ピックアップ側端部が光ピックアップに接触してしまうおそれがある。但し、この数値範囲は、本実施形態における一例であり、この範囲に限定されるものではない。要するに、ディスクの光ピックアップ側端部が光ピックアップに接触しない範囲内の値であればよい。
【００３６】
次に、この数値の計算例について説明する。図９の符号４０'は、ディスクがターンテーブルにチャキングされた状態、すなわち、ディスクが傾くことなく水平になっている状態を示している。ディスクがターンテーブルにクランプされた状態で、ディスクの記録面とトレイのディスク載置面との距離Ｈ１'を１．９ｍｍとした。
【００３７】
この時、ターンテーブルの径をφ３０とすると、ディスクをチャキングする際ディスクがターンテーブルの斜面(図８の「６０」)に接触した後図８のように傾くと、arcsin(1.9/(60-45))＝2.42°となる。この値から、ディスクのフロント側での持ち上がり量は(60+15)*sin2.42°=3.17mmとなる。これにディスクの厚みを加えると、3.17mm+1.2mm=4.37mmとなり、Ｈ１=4.37mmが最適となる。
【００３８】
なお、ディスク記録面とトレイのディスク載置面との距離である1.9mmは、ディスク回転時のディスクと突出部３８とのクリアランスの確保に必要な距離であり、そしてディスクをターンテーブルにチャキングする際、ターンテーブル上部でのディスクの引き込みのための斜面６０に必要な距離でもある。
【００３９】
図１１は図９の比較例であり、図７（Ｃ）のフランジ３９では、傾いたディスクと接触できず、図１２（図１０の比較例）に示すように、ディスク４０が光ピックアップの上端面４６と接触してしまう。
【００４０】
以上説明したように、本実施形態に記載された発明によれば、ディスクをディスク装置内に搬入し次いでターンテーブルにチャキングする過程で、ターンテーブルがディスクを跳ね上げてディスクが水平状態から傾こうとすることがあっても、突出部がディスクの端部と接触してディスクの傾きを規制することができる。したがって、ディスクをターンテーブルに回転自在に固定する過程で、ディスクが他部材、特に光学ユニットと干渉することを防止可能なディスク装置を提供することができる。
【００４１】
なお、ここで説明した実施形態において、突出部の端部をテーパ面として説明したが、ディスクのエッジと接触可能であれば、曲面状、環状など非直線状に形成しても良い。また、図９において突出部３８Ａのフロントベゼルからの突出量Ｈ３及びテーパ面の角度θには、ディスクのチャキングの際、ディスクと光ピックアップとの接触を防ぐ観点から適宜最適な値が適用される。
【図面の簡単な説明】
【００４２】
【図１】本発明に係わる記憶ディスク装置の全体を示す斜視図である。
【図２】図１に示す駆動装置の分解斜視図である。
【図３】処理機構の主要部を平面から見た斜視図である。
【図４】処理機構の主要部を底面から見た斜視図である。
【図５】トレイが収容された処理機構の主要部を正面から見た斜視図である。
【図６】トレイが収容された処理機構の主要部を背面から見た斜視図である。
【図７】（Ａ）は本発明に係わるフロントベゼルを背面側から見た斜視図である。(Ｂ)は突出部とディスクとを平面方向から見た模式図である。（Ｃ）は比較例に係わるフロントベゼルを背面から見た斜視図である。
【図８】図１のVIII-VIII方向から見た断面図である。
【図９】図８のIX部分の拡大図である。
【図１０】図８のX部分の拡大図である。
【図１１】図９の比較例を示す拡大図である。
【図１２】図１０の比較例を示す拡大図である。
【符号の説明】
【００４３】
１０  ディスク装置、１１  処理機構、１２  ケース、１４  フロントベゼル、１６  トレイ、２２  ターンテーブル、２４  光ピックアップ、  ３８  突出部
【図１】
2008071461.tif 000003
【図２】
2008071461.tif 000004
【図３】
2008071461.tif 000005
【図４】
2008071461.tif 000006
【図５】
2008071461.tif 000007
【図６】
2008071461.tif 000008
【図７】
2008071461.tif 000009
【図８】
2008071461.tif 000010
【図９】
2008071461.tif 000011
【図１０】
2008071461.tif 000012
【図１１】
2008071461.tif 000013
【図１２】
2008071461.tif 000014